(57)【要約】【課題】マイナスイオンを効率よく拡散できる扇風機を提供することを課題とする。【解決手段】支柱４を支持するベース３と、前記支柱４上部に支持され、電動機７を有する扇風機頭部８と、電動機７により回転駆動されるファン９と、ファン９を覆うガード体１０ａ、１０ｂと、ベース３に形成され、電動機７の運転を指示する操作部とを備えた扇風機において、ファン９の前方にマイナスイオンユニット１２及び高圧針１６を配設して、マイナスイオンを効率的に前方に拡散させる。【選択図】　　　　　図１
2004019532.tif 000002
【特許請求の範囲】
【請求項１】
支柱を支持するベースと、前記支柱上部に支持され、電動機を有する扇風機頭部と、前記電動機により回転駆動されるファンと、該ファンを覆うガード体と、前記ベースに形成され、電動機の運転を指示する操作部とを備えた扇風機において、前記ファンの前方にマイナスイオン発生装置を配設したことを特徴とする扇風機。
【請求項２】
前記マイナスイオン発生装置は、前記ファンの略中心部に配設したことを特徴とする請求項１記載の扇風機。
【請求項３】
前記ベースには、マイナスイオン発生装置への通電スイッチを、電動機の駆動スイッチとは別に独立して配設したことを特徴とする請求項１または請求項２に記載の扇風機。
【請求項４】
前記マイナスイオン発生装置への通電スイッチは、前記電動機の駆動中に入力可能としたことを特徴とする請求項３記載の扇風機。
【発明の詳細な説明】
【０００１】
【発明の属する技術分野】
本発明は、マイナスイオン発生機能を有する扇風機に関する。
【０００２】
【従来の技術】
近年、消費者の健康意識の向上に伴い、筋肉組織に溜まった乳酸を中和することにより疲労感の緩和を行い、血液中のガンマーグロプリンを増やし病気に対する抵抗力を高める等の効果があるとして、マイナスイオンが注目されている。
【０００３】
このような市場動向により、リラクゼーション関連商品として、マイナスイオン発生装置を付加した空気調和関連の電気製品が話題を集めている。
【０００４】
例えば、安価で部屋中にマイナスイオンを含んだ風を循環させるものとして、扇風機にマイナスイオン発生装置を付加させることが考えられるが、扇風機は構造が単純なため、高圧発生回路が必要となるマイナスイオン発生装置の設置場所の確保が問題となる。
【０００５】
即ち、モータが内蔵されている部分にマイナスイオン発生装置を配置すると、羽根やガードがマイナスイオンの拡散を遮る問題があるし、またスタンド部分に配置すると、羽根から距離があるため風の影響が減少してマイナスイオンの拡散が不十分となる問題がある。
【０００６】
【発明が解決しようとする課題】
本発明は、上記欠点に鑑みなされたもので、マイナスイオンを効率よく拡散できる扇風機を提供することを課題とする。
【０００７】
【課題を解決するための手段】
本発明は、支柱を支持するベースと、前記支柱上部に支持され、電動機を有する扇風機頭部と、前記電動機により回転駆動されるファンと、該ファンを覆うガード体と、前記ベースに形成され、電動機の運転を指示する操作部とを備えた扇風機において、前記ファンの前方にマイナスイオン発生装置を配設したことを特徴とする。
【０００８】
前記マイナスイオン発生装置は、前記ファンの略中心部に配設することが望ましい。
【０００９】
前記ベースには、マイナスイオン発生装置への通電スイッチを、電動機の駆動スイッチとは別に独立して配設するとよい。
【００１０】
また、前記マイナスイオン発生装置への通電スイッチは、前記電動機の駆動中に入力可能とすることが望ましい。
【００１１】
【発明の実施の形態】
本発明の実施の形態を図面に基づいて説明する。
【００１２】
２は扇風機１のスタンドで、ベース３と、該ベース３から略垂直に一体形成される支柱４と、該支柱４に摺動自在に支持されるスライドパイプ５と、該スライドパイプ５の上端に俯仰自在に支持されるネックピース６とから構成されている。
【００１３】
前記ネックピース６には、電動機７を有する扇風機頭部８が左右首振自在に支持されている。
【００１４】
前記ベース３上面には、電動機７の駆動・停止スイッチ、風量調整を行う風量スイッチ、及び後述するマイナスイオンユニット１２への通電を制御するマイナスイオンスイッチ等（いずれも図示せず）が設けられている。
【００１５】
９は前記電動機７に着脱自在に装着されるファン、１０は前記扇風機頭部８に、ファン９を覆って着脱自在に装着されるガードで、前ガード１０ａ及び後ガード１０ｂとから構成されており、該前後ガード１０ａ、１０ｂの接合部に配設された固定リング１１にて前後ガード１０ａ、１０ｂを固定するようになっている。
【００１６】
１２は前記前ガード１０ａの前面略中央部に配設されたマイナスイオンユニットで、該マイナスイオンユニット１２に接続されたコード１３を介してマイナスイオンユニット１２に直流電流が供給されるようになっている。
【００１７】
前記コード１３は、前記マイナスイオンユニット１２から前ガード１０ａ、後ガード１０ｂに沿って配設され、扇風機頭部８及びネックピース６を介してスライドパイプ５内に案内され、スタンド２内にて図示しない制御基板に接続されている。
【００１８】
また、前記コード１３は、前ガード１０ａ、及び後ガード１０ｂの接合部に対応する位置において、コネクター１３ａにて着脱可能に接続されており、該コネクター１３ａを取りはすずことにより、ガード１０を容易に分解できるようになっている。
【００１９】
１４は前記前ガード１０ａの前面略中央部に、前記マイナスイオンユニット１２を覆う状態に着脱自在に取り付けられたカバーで、該カバー１４の略中央部に形成された収納凹部１５に、前記マイナスイオンユニット１２に接続されてマイナスイオンを発生する高圧針１６が配設されるようになっている。
【００２０】
本構成によると、電動機７を駆動させてファン９を回転させるとともに、図示しないマイナスイオンスイッチを操作してマイナスイオンユニット１２に通電すると、高圧針１６からマイナスイオンが発生し、高圧針１６の後方からファン９により風が発生してマイナスイオンが前方に効率的に拡散される。
【００２１】
マイナスイオンユニット１２及び高圧針１６は、ガード１０の略中央部、即ち扇風機頭部８の回転中心に配設されているため、扇風機頭部８をどの方向に向けてもマイナスイオンの発生方向が一致するため、より効果的にマイナスイオンを拡散することができる。
【００２２】
マイナスイオンユニット１２への通電を制御するマイナスイオンスイッチ（図示せず）は、ベース３上面の電動機７の駆動・停止スイッチや風量スイッチとは別の独立スイッチとし個別に入切可能に構成しているため、扇風機の運転中に任意にマイナスイオン発生のＯＮ・ＯＦＦを選択できる。
【００２３】
またさらに、マイナスイオンスイッチを電動機７の駆動時にのみ入力可能に構成すれば、マイナスイオンを確実に効率よく拡散させることができるとともに、電気代の無駄を省くことができる等の効果を奏する。
【００２４】
尚、本実施の形態では、扇風機頭部８は左右首振り可能な構成としたが、ネックピース内に横首振り用のモータ、扇風機頭部８内に立て首振り用のモータを備え、この両モータの組み合わせにより左右・上下運動の合成により立体首振り可能な構成としてもよく、この場合、よりマイナスイオンを効率的に拡散させることができる。
【００２５】
【発明の効果】
本発明の請求項１によると、マイナスイオン発生装置をファンの前部に配設したことにより、電動機を駆動させるとともにマイナスイオン発生装置に通電すると、マイナスイオン発生装置の後方からファンにより送風されるため、発生したマイナスイオンを効率的に前方に拡散させることができる。
【００２６】
また、本発明の請求項２によると、マイナスイオン発生装置をファンの略中央部に配設することにより、扇風機頭部をどの方向に向けてもマイナスイオンの発生方向が一致するため、より効果的にマイナスイオンを拡散することができる。
【００２７】
さらに、本発明の請求項３によると、マイナスイオン発生装置への通電スイッチを、電動機の駆動スイッチとは別に独立して配設することにより、扇風機の運転中に任意にマイナスイオン発生のＯＮ・ＯＦＦを選択でき、使用性を向上できる。
【００２８】
また、本発明の請求項４によると、マイナスイオン発生装置への通電スイッチを、電動機の駆動中に入力可能とすることにより、マイナスイオンを確実に効率よく拡散させることができるとともに、電気代の無駄を省くことができる等の効果を奏する。
【図面の簡単な説明】
【図１】本発明の扇風機の要部を断面とした側面図である。
【図２】同要部拡大断面図である。
【符号の説明】
３　　　　　ベース
４　　　　　支柱
７　　　　　電動機
８　　　　　扇風機頭部
９　　　　　ファン
１０　　　　ガード（ガード体）
１２　　　　マイナスイオンユニット（イオン発生装置）
１６　　　　高圧針（イオン発生装置）
【図１】
2004019532.tif 000003
【図２】
2004019532.tif 000004